(57)【要約】【課題】電子機器に充電器を接続して展示する場合、電子機器に盗難防止のワイヤ等を装着すると、見た目が悪いうえに、電子機器を操作し難くなるという問題点があった。【解決手段】携帯電話機Ｍと充電器Ｃとの間に介装する盗難防止装置Ａ１であって、充電器Ｃを接続する入力側接続部１と、携帯電話機Ｍに接続する出力側接続部２と、充電中に電圧を検出する電圧検出器３と、警報音を発生する警報器４と、電圧検出器３の検出値に異常が生じた場合に警報器４を作動させる制御器６と、各機器の電源である内部電池７と、各機器と内部電池７の間を開閉する電源スイッチ８を備えた構成とし、本来の盗難防止機能を備えたうえで、充電器Ｃの一部のような外観を呈するものとし、見た目や携帯電話機Ｍの操作性を良好にした。【選択図】図１
2010277379.tif 000002
【特許請求の範囲】
【請求項１】
電子機器と充電器との間に介装する盗難防止装置であって、充電器を接続する入力側接続部と、電子機器に接続する出力側接続部と、充電中において入力側接続部と出力側接続部の間の電圧を検出する電圧検出器と、警報音を発生する警報器と、電圧検出器の検出値に異常が生じた場合に警報器を作動させる制御器と、各機器の電源である内部電池と、各機器と内部電池の間を開閉する電源スイッチを備えたことを特徴とする盗難防止装置。
【請求項２】
電子機器の接続状態を検出する接続検出器を備え、制御器が、電圧検出器の検出値に異常が生じた場合に加えて、接続検出器で電子機器の接続状態を検出しない場合に警報器を作動させる制御を行うことを特徴とする請求項１に記載の盗難防止装置。
【請求項３】
電源スイッチを外部から操作する別体の電源操作具を備えたことを特徴とする請求項１又は２に記載の盗難防止装置。
【請求項４】
出力側接続部が、電子機器に係合するロック機構を有しており、このロック機構を外部から操作する別体のロック操作具を備えたことを特徴とする請求項１〜３のいずれか１項に記載の盗難防止装置。
【請求項５】
電源操作具及びロック操作具が共通の操作具であって、電源スイッチ及びロック機構が操作具により連動することを特徴とする請求項３又は４に記載の盗難防止装置。
【請求項６】
充電器のコネクタを覆うカバーを備えていることを特徴とする請求項１〜５のいずれか１項に記載の盗難防止装置。
【発明の詳細な説明】
【技術分野】
【０００１】
本発明は、携帯電話機等の電子機器と充電器との間に介装して用いる盗難防止装置に関するものである。
【背景技術】
【０００２】
一般に、家電製品などを取り扱う商店においては、消費者が商品を自由に操作できるように見本としての展示商品を用意しており、とくに携帯電話機やカメラ等の比較的小型の展示商品に対しては、その盗難を防止するために、適当な固定部位と展示商品とをワイヤで連結するといった対策をとっている（特許文献１参照）。また、展示商品に取り付けたセンサの変化を検出して、警報を発生する盗難防止装置なども提案されている（特許文献２参照）。
【先行技術文献】
【特許文献】
【０００３】
【特許文献１】特開２００４−２４８７７８号公報
【特許文献２】特開２００４−１３９２８５号公報
【発明の概要】
【発明が解決しようとする課題】
【０００４】
ところで、例えば、携帯電話機のように二次電池を内蔵した比較的小型の電子機器を展示する場合には、電源切れにならないように、その電子機器に充電器を接続した状態にしておくことが多い。このため、その電子機器に盗難防止のワイヤ類を装着すると、そのワイヤや充電器のリード線などにより、展示場所が雑然とした状態になって見た目が悪いうえに、電子機器を操作し難くなる虞があるという問題点があり、このような問題点を解決することが課題であった。
【０００５】
本発明は、上記従来の課題に着目して成されたもので、二次電池を内蔵した比較的小型の電子機器と充電器の間に介装する装置であって、本来の盗難防止機能を備えたうえで、充電器の一部のような外観を呈することができ、見た目や電子機器の操作性が良好である盗難防止装置を提供することを目的としている。
【課題を解決するための手段】
【０００６】
本発明の盗難防止装置は、請求項１として、電子機器と充電器との間に介装する盗難防止装置であって、充電器を接続する入力側接続部と、電子機器に接続する出力側接続部と、充電中において入力側接続部と出力側接続部の間の電圧を検出する電圧検出器と、警報音を発生する警報器と、電圧検出器の検出値に異常が生じた場合に警報器を作動させる制御器と、各機器の電源である内部電池と、各機器と内部電池の間を開閉する電源スイッチを備えた構成としており、上記構成をもって従来の課題を解決するための手段としている。
【０００７】
また、本発明の盗難防止装置は、請求項２として、電子機器の接続状態を検出する接続検出器を備え、制御器が、電圧検出器の検出値に異常が生じた場合に加えて、接続検出器で電子機器の接続状態を検出しない場合に警報器を作動させる制御を行う構成とし、請求項３として、電源スイッチを外部から操作する別体の電源操作具を備えた構成とし、請求項４として、出力側接続部が、電子機器に係合するロック機構を有しており、このロック機構を外部から操作する別体のロック操作具を備えた構成とし、請求項５として、電源操作具及びロック操作具が共通の操作具であって、電源スイッチ及びロック機構が操作具により連動する構成とし、請求項６として、充電器のコネクタを覆うカバーを備えている構成としており、上記構成をもって従来の課題を解決するための手段としている。
【発明の効果】
【０００８】
本発明の請求項１に係わる盗難防止装置によれば、電子機器や充電器に改造を行う必要が全く無く、電子機器と充電器との間に介装するだけで、電子機器に対する通電が断たれた際に警報音を発生することとなり、この盗難防止機能を備えたうえで、充電器の一部のような外観を呈することができる。これにより、見た目が非常に良好であり、商店等における電子機器の展示場所が雑然とした状態になるような事態を防ぐことができると共に、電子機器の操作を妨げないので、電子機器の操作性も良好になる。
【０００９】
本発明の請求項２に係わる盗難防止装置によれば、請求項１と同様の効果を得ることができるうえに、電子機器に対する通電が遮断された場合だけでなく、電子機器が外された場合に警報音を発生するので、盗難防止機能の確実性を高めることができる。
【００１０】
本発明の請求項３に係わる盗難防止装置によれば、請求項１及び２と同様の効果を得ることができるうえに、警報器が不正に解除されるのを防止することができる。
【００１１】
本発明の請求項４に係わる盗難防止装置によれば、請求項１〜３と同様の効果を得ることができるうえに、電子機器から不正に外されるのを防止することができる。
【００１２】
本発明の請求項５に係わる盗難防止装置によれば、請求項３及び４と同様の効果を得ることができるうえに、専用の操作具を用いて、電源スイッチの開閉操作及びロック機構の係脱操作を同時に且つ容易に行うことができる。
【００１３】
本発明の請求項６に係わる盗難防止装置によれば、請求項１〜５と同様の効果を得ることができるうえに、アダプタとコネクタをリード線で接続した構造を有する充電器を使用した場合に、その充電器と一体化させることができる。
【００１４】
本発明の請求項７に係わる盗難防止装置によれば、請求項１〜６と同様の効果を得ることができるうえに、
【図面の簡単な説明】
【００１５】
【図１】本発明の盗難防止装置の一実施形態を説明するブロック図である。
【図２】盗難防止装置の回路図である。
【図３】制御器のプログラムを説明するフローチャートである。
【図４】図１の盗難防止装置の全体を示す説明図である。
【図５】図１の盗難防止装置の構成と作用を示す各々説明図（Ａ）〜（Ｄ）である。
【図６】本発明の盗難防止装置の他の実施形態における構成と作用を示す各々説明図（Ａ）〜（Ｄ）である。
【図７】ロック機構の係脱動作を示す各々説明図（Ａ）〜（Ｃ）である。
【図８】本発明の盗難防止装置のさらに他の実施形態を示す説明図である。
【発明を実施するための形態】
【００１６】
図１及び図４に示す盗難防止装置Ａ１は、電子機器である携帯電話機Ｍと充電器Ｃとの間に介装して用いる。図示例の充電器Ｃは、アダプタ（ＡＣアダプタ）ＣａとコネクタＣｃをリード線Ｃｒで接続した構造を有しており、携帯電話機用の公知のものである。
【００１７】
盗難防止装置Ａ１は、例えば樹脂製のケーシングで外観を形成すると共に、充電器ＣのコネクタＣｃを接続する入力側接続部１と、携帯電話機Ｍを接続する出力側接続部２と、充電中において入力側接続部１と出力側接続部２の間の電圧を検出する電圧検出器３と、警報音を発生する警報器（ブザー）４及びその駆動部５と、電圧検出器３の検出値に異常が生じた場合に警報器４を作動させる制御器６と、各機器３〜６の電源である内部電池７と、各機器３〜６と内部電池７の間を開閉する電源スイッチ８を備えている。
【００１８】
入力側接続部１は、携帯電話機Ｍの充電用接続端子と同等の構造を有し、充電器ＣのコネクタＣｃを機械的及び電気的に接続することができる。入力側接続部１とコネクタＣｃは、同コネクタＣｃの既存のリリースボタンを操作することで分離し得る。他方、出力側接続部１は、充電器ＣのコネクタＣｃの接続端子と同等の構成を有し、携帯電話機Ｍに機械的及び電気的に接続することができる。
【００１９】
また、盗難防止装置Ａ１は、携帯電話機Ｍの接続によりＯＮとなる接続スイッチ９と、その接続状態を検出する接続検出器１０を備え、制御器６が、電圧検出器３の検出値に異常が生じた場合に加えて、接続検出器１０で携帯電話機Ｍの接続状態を検出しない場合、すなわち接続スイッチ９がＯＦＦになった場合に警報器４を作動させる制御を行うものとなっている。
【００２０】
さらに、盗難防止装置Ａ１は、電源スイッチ８を外部から操作する別体の電源操作具Ｐ１を備えている。ここで、当該盗難防止装置Ａ１は、ケーシングの電源スイッチ８に対応する部分にピンホールを有している。これに対して、電源操作具Ｐ１は、図１に示す如くピン状を成し、ピンホールに差し込んで電源スイッチ８を開閉操作する。
【００２１】
このように、別体の電源操作具Ｐ１を採用することで、電源スイッチ８を操作して警報器４を不正に解除できないようにしている。よって、電源操作具Ｐ１は、携帯電話機Ｍとは別の場所に保管しておくのが望ましい。
【００２２】
盗難防止装置Ａ１の回路は、図２に示すように、入力側接続部１の接続端子Ｔ１、出力側接続部２の接続端子Ｔ２、警報器４、整流子Ｄ１、電界効果トランジスタＱ１、制御器６、内部電池７、電源スイッチ８、各コンデンサＣ１，Ｃ２、各抵抗Ｒ１〜Ｒ３、及び接続スイッチ９により構成されている。
【００２３】
さらに、盗難防止装置Ａ１は、図７に示すように、出力側接続部２に、携帯電話機Ｍに係合するロック機構Ｒを備えていると共に、このロック機構Ｒを外部から操作する別体のロック操作具Ｐ２を備えている。
【００２４】
ロック機構Ｒは、互いに外向きの鉤部を有する一対の係合爪Ｎ，Ｎと、両係合爪Ｎ，Ｎの間に介在するキーＫを備えている。キーＫは、楕円形を成し、回転により両係合爪Ｎ，Ｎの開度を増減することができる。すなわち、ロック機構Ｒは、両係合部Ｎ，Ｎの開度を小さくすると、図７（Ａ）（Ｃ）に示すように、携帯電話機Ｍの接続端子部に対して係脱自在となり、両係合部Ｎ，Ｎの開度を大きくすると、図７（Ｂ）に示すように、携帯電話機Ｍの接続端子部に対して係合状態となる。
【００２５】
上記ロック装置Ｒは、先述の電源スイッチ８及び電源操作具Ｐ１と同様に、ケーシングのキーＫに対応する部分にピンホールを有し、このピンホールにピン状のロック操作具Ｐ２を差し込んでキーＫを回転操作（係脱操作）する。また、図示例以外の構成としては、両係合部Ｎ，Ｎの開度を大きく維持するスプリングを介装した構成とし、スプリングに抗して両係合部Ｎ，Ｎを携帯電話機Ｍに係合すると共に、両係合部Ｎ，Ｎの開度を小さくする解除専用のロック操作具を用いても良い。
【００２６】
このように、別体のロック操作具Ｐ２を採用することで、ロック機構Ｒを不正に解除できないようにしている。よって、電源操作具Ｐ２は、携帯電話機Ｍとは別の場所に保管しておくのが望ましい。
【００２７】
上記構成を備えた盗難防止装置Ａ１は、商店等において、見本である携帯電話機Ｍを展示する際に使用され、この際、携帯電話機Ｍや充電器Ｃに改造を行う必要が全く無いうえに、盗難防止用のワイヤ類も不要であり、充電器Ｃの一部のような外観を呈するものとなる。したがって、見た目が非常に良好であり、携帯電話機Ｍの展示場所が雑然とした状態になることもなく、しかも、携帯電話機Ｍの操作を妨げることもない。
【００２８】
次に、図３のフローチャートに基づいて、盗難防止装置Ａ１の動作を説明する。盗難防止装置Ａ１は、携帯電話機Ｍと充電器Ｃの間に介装し、電源操作具Ｐ１を用いて電源スイッチ８をＯＮにすると共に、ロック操作具Ｐ２を用いてロック機構Ｒを拘束状態（図７Ｂの状態）にする。また、携帯電話機Ｍとの接続により、接続スイッチ９もＯＮになる。
【００２９】
制御器６では、ステップＳ１において電源スイッチ８がＯＮになると、ステップＳ２において、電圧検出器３により検出した充電電圧に異常があるか否かを判定し、ステップＳ３において、接続検出器１０により接続状態が検出されているか否かを判定する。ステップＳ２で異常なしと判定した場合（ＹＥＳ）、及びステップＳ３で接続状態であると判定した場合（ＹＥＳ）には、この処理を送り返す。
【００３０】
次に、ステップＳ２で異常あり（電圧低下）と判定した場合（ＮＯ）、及びステップＳ３で接続状態ではないと判定した場合（ＮＯ）には、ステップＳ４に移行して駆動部５により警報器４を作動させる。
【００３１】
すなわち、盗難防止装置Ａ１は、図５（Ａ）に示す通常の状態から、図５（Ｂ）に示すように当該装置Ａ１と充電器Ｃが外れた場合、図５（Ｃ）に示すように携帯電話機Ｍと当該装置Ａ１が外れた場合、図５（Ｄ）に示すように充電器Ｃのリード線Ｃｒが切断された場合のいずれでも充電電圧がゼロになるので、これを電圧検出器３が検出し、警報器４を作動させる。
【００３２】
また、携帯電話機Ｍと当該装置Ａ１は、ロック機構Ｒにより係合状態を維持するが、図５（Ｃ）に示す如く双方を強制的に外すと、これを接続スイッチ９及び接続検出器１０が検出し、警報器４を作動させる。
【００３３】
さらに、盗難防止装置Ａ１は、ステップＳ５において、電圧検出器３により検出した充電電圧に異常があるか否かを判定し、ステップＳ６において、接続検出器１０により接続状態が検出されているか否かを判定する。そして、ステップＳ５で異常ありと判定した場合（ＮＯ）、及びステップＳ６で接続状態ではないと判定した場合（ＮＯ）には、この処理を送り返す。
【００３４】
次に、ステップＳ５で異常なしと判定した場合（ＹＥＳ）、及びステップＳ６で接続状態であると判定した場合（ＹＥＳ）には、ステップＳ７に移行して駆動部５により警報器４を停止させる。
【００３５】
なお、図５（Ｂ）〜（Ｄ）に示すように、充電経路が断たれたままの状態では、ステップ７に移行することが無く、再度接続されるまで警報器４が作動し続ける。この警報器４の作動は、電源操作具Ｐ１で電源スイッチ８を遮断すれば停止する。
【００３６】
ここで、本発明の盗難防止装置は、電源操作具Ｐ２及びロック操作具Ｐ２を共通の操作具にすると共に、電源スイッチ８及びロック機構Ｒを操作具により連動させる構成にするとができる。この場合には、図１に示す電源スイッチ８と図７に示すロック機構ＲのキーＫを並設し、必要に応じて連動させるための部材を追加する。これにより、専用の操作具により、電源スイッチ８の開閉操作及びロック機構Ｒの係脱操作を同時に且つ容易に行えるようになり、当該盗難防止装置Ａ１の着脱の際に便利である。
【００３７】
図６は、本発明の盗難防止装置の他の実施形態を説明する図である。この実施形態の盗難防止装置Ａ２は、充電器Ｃを接続する入力側接続部１が装置本体と別体になっており、リード線１５により装置本体と接続してある。この場合には、盗難防止装置Ａ２自体があたかも充電器Ｃのように見えることとなり、外観体裁が良好である。
【００３８】
また、上記の盗難防止装置Ａ２にあっても、図６（Ａ）に示す通常の状態から、図６（Ｂ）に示すように当該装置Ａ２と充電器Ｃが外れた場合、図６（Ｃ）に示すように携帯電話機Ｍと当該装置Ａ２が外れた場合、図６（Ｄ）に示すように当該装置Ａ２のリード線又は充電器Ｃのリード線Ｃｒが切断された場合のいずれにおいても警報器４が作動する。
【００３９】
図８は、本発明の盗難防止装置のさらに他の実施形態を説明する図である。ここで、充電器Ｃは、先の実施形態と同様に、アダプタＣａとコネクタＣｃをリード線Ｃｒで接続した構造を有している。そして、図示の盗難防止装置Ａ３は、充電器ＣのコネクタＣｃを覆うカバー２０を備えている。これにより、図４に示す如くアダプタＣａとコネクタＣｃをリード線Ｃｒで接続した構造を有する充電器Ｃを使用した場合に、その充電器Ｃと一体化させることができ、外観体裁や防犯機能のさらなる向上を実現することができる。
【００４０】
なお、本発明の盗難防止装置は、その構成が上記の各実施形態のみに限定されるものではなく、本発明の要旨を逸脱しない範囲で構成の細部を適宜変更することができる。さらに、上記の各実施形態では電子機器として携帯電話機Ｍを例示したが、本発明の盗難防止装置は、二次電池を内蔵した比較的小型の電子機器に適用可能であり、このような電子機器の展示等に非常に有用である。
【符号の説明】
【００４１】
Ａ１〜Ａ３  盗難防止装置
Ｃ          充電器
Ｃｃ        充電器のコネクタ
Ｍ          携帯電話機（電子機器）
Ｐ１        電源操作具
Ｐ２        ロック操作具
Ｒ          ロック機構
１          入力側接続部
２          出力側接続部
３          電圧検出器
４          警報器
６          制御器
７          内部電池
８          電源スイッチ
１０        接続検出器
２０        カバー
【図１】
2010277379.tif 000003
【図２】
2010277379.tif 000004
【図３】
2010277379.tif 000005
【図４】
2010277379.tif 000006
【図５】
2010277379.tif 000007
【図６】
2010277379.tif 000008
【図７】
2010277379.tif 000009
【図８】
2010277379.tif 000010